(57)【要約】【課題】「かぶり」の発生を確実に防止する。【解決手段】ＣＰＵ１１１は、非画像部においてレーザダイオード１４１ａに印加する電流値であるバイアス電流値を、レーザダイオード１４１ａのレーザ発光の電流閾値以上の値に制御する電流制御部１１１ａと、バイアス電流値に対応して、感光ドラムに印加する電圧を制御する電圧制御部１１１ｂを備える。【選択図】図２
2007286298.tif 000002
【特許請求の範囲】
【請求項１】
感光ユニットに配設された感光ドラムにレーザダイオードからのレーザビームを照射して潜像を形成し、形成された潜像に対応するトナー画像を記録紙に形成する画像形成装置であって、
トナー画像を形成しない領域である非画像部において、レーザダイオードに印加する電流値であるバイアス電流値を、レーザダイオードのレーザ発光の電流閾値以上の値に制御する電流制御手段と、
前記バイアス電流値に対応して、感光ドラムに印加する電圧を制御する電圧制御手段と
を備えることを特徴とする画像形成装置。
【請求項２】
感光ドラムの感度情報を格納する感度記憶手段を備え、
前記電圧制御手段は、前記感度情報に基づき、感光ドラムに印加する電圧を制御することを特徴とする請求項１に記載の画像形成装置。
【請求項３】
前記感度記憶手段は、感光ドラムの幅方向及び周方向の少なくとも一方について複数箇所に対応する感度情報を格納し、
前記電流制御手段は、前記複数箇所に対応する感度情報に基づき、前記バイアス電流値を、レーザダイオードからのレーザビームが照射される感光ドラム上の位置に応じて制御することを特徴とする請求項１又は請求項２に記載の画像形成装置。
【請求項４】
前記感度情報は、予め設定された所定光量を感光ドラムに照射した場合に降下する電圧値であることを特徴とする請求項２又は請求項３に記載の画像形成装置。
【発明の詳細な説明】
【技術分野】
【０００１】
本発明は、感光ユニットに配設された感光ドラムにレーザダイオードからのレーザビームを照射して潜像を形成し、形成された潜像に対応するトナー画像を記録紙に形成する画像形成装置に関するものである。特に、複写機、プリンタ、ファクシミリ、インターネットファクシミリ、及び、これらの機能の内のいずれかの機能を有する複合機に関するものである。
【背景技術】
【０００２】
感光ユニットに配設された感光ドラムにレーザダイオードからのレーザビームを照射して潜像を形成し、形成された潜像に対応するトナー画像を記録紙に形成する画像形成装置においては、レーザダイオードの劣化等に起因してバイアス発光量が増加し、トナー画像を形成しない領域である非画像部にトナーが付着する現象（いわゆる、「かぶり」）が発生する。
【０００３】
この「かぶり」の発生を防止するために種々の技術が開示されている。例えば、バイアス発光量をフォトセンサで検出し、検出されたバイアス発光量に応じて現像バイアスとバイアス発光量の目標値とを変化させる画像形成装置が開示されている（特許文献１参照）。
【特許文献１】特開２００３−８４２２２号公報
【発明の開示】
【発明が解決しようとする課題】
【０００４】
しかしながら、上記画像形成装置においては、バイアス発光の電流値を、レーザダイオードのレーザ発光の電流閾値以下の値に設定しているため、バイアス発光の発光量は小さい値となり、フォトセンサの検出誤差が大きくなる場合がある。その結果、バイアス発光の発光量が適正な値に制御されない場合があり、そのような場合には、非画像部の感光ドラムの表面電位が適正な値に制御されないため、「かぶり」が発生する虞がある。
【０００５】
本発明は、上記課題に鑑みてなされたものであって、「かぶり」の発生を確実に防止することの可能な画像形成装置を提供することを目的としている。
【課題を解決するための手段】
【０００６】
上記目的を達成するために請求項１に記載の画像形成装置は、感光ユニットに配設された感光ドラムにレーザダイオードからのレーザビームを照射して潜像を形成し、形成された潜像に対応するトナー画像を記録紙に形成する画像形成装置であって、トナー画像を形成しない領域である非画像部において、レーザダイオードに印加する電流値であるバイアス電流値を、レーザダイオードのレーザ発光の電流閾値以上の値に制御する電流制御手段と、前記バイアス電流値に対応して、感光ドラムに印加する電圧を制御する電圧制御手段とを備えることを特徴としている。
【０００７】
請求項２に記載の画像形成装置は、請求項１に記載の画像形成装置であって、感光ドラムの感度情報を格納する感度記憶手段を備え、前記電圧制御手段が、前記感度情報に基づき、感光ドラムに印加する電圧を制御することを特徴としている。
【０００８】
請求項３に記載の画像形成装置は、請求項１又は請求項２に記載の画像形成装置であって、前記感度記憶手段は、感光ドラムの幅方向及び周方向の少なくとも一方について複数箇所に対応する感度情報を格納し、前記電流制御手段が、前記複数箇所に対応する感度情報に基づき、前記バイアス電流値を、レーザダイオードからのレーザビームが照射される感光ドラム上の位置に応じて制御することを特徴としている。
【０００９】
請求項４に記載の画像形成装置は、請求項２又は請求項３に記載の画像形成装置であって、前記感度情報が、予め設定された所定光量を感光ドラムに照射した場合に降下する電圧値であることを特徴としている。
【発明の効果】
【００１０】
請求項１に記載の画像形成装置によれば、トナー画像を形成しない領域である非画像部において、レーザダイオードに印加する電流値であるバイアス電流値が、レーザダイオードのレーザ発光の電流閾値以上の値に制御されるため、安定した制御が実現できる。そして、バイアス電流値に対応して、感光ドラムに印加する電圧が制御されるため、非画像部において、感光ドラムが適正な大きさの電圧に制御されるので、「かぶり」の発生を確実に防止することができる。
【００１１】
請求項２に記載の画像形成装置によれば、感光ドラムの感度情報が格納されており、その感度情報に基づき、感光ドラムに印加する電圧が制御されるため、非画像部における感光ドラムの電位のバラツキを抑制することができるので、「かぶり」の発生を更に確実に防止することができる。
【００１２】
請求項３に記載の画像形成装置によれば、感光ドラムの幅方向及び周方向の少なくとも一方についての複数箇所に対応する感度情報に基づき、非画像部におけるレーザダイオードのバイアス電流値が、レーザダイオードからのレーザビームが照射される感光ドラム上の位置に応じて制御されるため、非画像部における感光ドラムの電位のバラツキを更に効果的に抑制することができるので、「かぶり」の発生を更に確実に防止することができる。
【００１３】
請求項４に記載の画像形成装置によれば、感度情報が、予め設定された所定光量を感光ドラムに照射した場合に降下する電圧値であるため、感度情報を正確に表現することができる。
【発明を実施するための最良の形態】
【００１４】
以下、本発明に係る画像形成装置の一例について図面を参照して説明する。図１は、本発明に係る画像形成装置の概略構成の一例を示すブロック図である。なお、ここでは、画像形成装置が、プリンタである場合について説明するが、記録紙上に画像を形成する他の画像形成装置（例えば、ファクシミリ、インターネットファクシミリ、複写機、複合機等）である形態でもよい。図１に示すように、プリンタ１は、制御部１１、表示部１２、操作部１３、及び、印刷処理部１４を備えている。なお、プリンタ１は、図略のパーソナルコンピュータと通信可能に接続され、パーソナルコンピュータからの指示を受け付けて、記録紙上に画像を形成するものである。
【００１５】
制御部１１は、プリンタ１全体の動作を制御するものであって、ＣＰＵ（Ｃｅｎｔｒａｌ  Ｐｒｏｃｅｓｓｉｎｇ  Ｕｎｉｔ）１１１と、ＲＡＭ（Ｒａｎｄｏｍ  Ａｃｃｅｓｓ  Ｍｅｍｏｒｙ）１１２とを備えている。
【００１６】
表示部１２は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）等を備え、制御部１１（ＣＰＵ１１１）からの指示に基づき、設定情報、ガイダンス情報、メッセージ情報等をユーザから視認可能に表示するものである。
【００１７】
操作部１３は、ユーザからの操作入力を受け付けて、受け付けられた操作入力に対応する操作入力情報を生成し、制御部１１（ＣＰＵ１１１）に出力するものである。操作部１３は、例えば、テンキー、スタートボタン等の各種ボタン、及び、表示部１２に配設されたＬＣＤと一体に形成されたタッチパネル等を備えている。
【００１８】
印刷処理部１４は、記録紙上に電子写真方式で画像（ここでは、パーソナルコンピュータから受け付けられる画像情報に対応する画像）を形成するものであって、本発明に係るレーザビーム走査ユニット１４１、現像ユニット１４２、感光ユニット１４３、及び、帯電制御ユニット１４４を備えている。
【００１９】
レーザビーム走査ユニット１４１は、レーザダイオード１４１ａを備え、レーザダイオード１４１ａから出射されたレーザビームによって静電潜像を感光ドラム１４３ｂの表面に形成するものである。現像ユニット１４２は、レーザビーム走査ユニット１４１により形成された静電潜像にトナーを付着させてトナー像を形成するものである。
【００２０】
感光ユニット１４３は、記録紙上にトナー像を形成するものであって、感度記憶素子１４３ａ、感光ドラム１４３ｂ、及び、帯電ローラ１４３ｃを備える。感度記憶素子１４３ａ（感度記憶手段に相当する）は、感光ユニット内に配設され、感光ドラム１４３ｂの感度情報を格納するものである帯電ローラ１４３ｃは、感光ドラム１４３ｂに所定の電位を付与するものである。
【００２１】
まず、感光ドラム１４３ｂの表面が帯電ローラ１４３ｃによって略均一に帯電される。次に、レーザビーム走査ユニット１４１によって、感光ドラム１４３ｂに静電潜像が形成され、現像ユニット１４２によって、静電潜像にトナーが付着されてトナー像が形成される。そして、感光ドラム１４３ｂに形成されたトナー像が、記録紙上に転写され、トナー像が形成される。帯電制御ユニット１４４は、後述する電圧制御部１１１ｂからの指示に従って、帯電ローラ１４３ｃに付与する電位を制御するものである。
【００２２】
感度記憶素子１４３ａは、感光ユニット１４３の適所に配設され、感光ドラム１４３ｂの幅方向位置と対応付けて感度情報を格納するものであって、ここでは、感度記憶素子１４３ａは、感光ドラム１４３ｂが幅方向に３２等分され、分割されて生成された３２箇所の感光ドラム１４３ｂの幅方向位置にそれぞれ対応付けて感度情報を格納するものである。
【００２３】
図２は、本発明の主要部の機能構成の一例を示す機能構成図である。制御部１１のＣＰＵ１１１は、機能的に、電流制御部１１１ａ、及び、電圧制御部１１１ｂを備えている。制御部１１のＲＡＭ１１２は、機能的に、感度記憶部１１２ａを備えている。
【００２４】
ここでは、ＣＰＵ１１１が、ＲＯＭ（Ｒｅａｄ  Ｏｎｌｙ  Ｍｅｍｏｒｙ）等に予め格納されたプログラムを読み出して実行することにより、電流制御部１１１ａ、及び、電圧制御部１１１ｂ等の機能部として機能すると共に、ＲＡＭ１１２を、感度記憶部１１２ａ等の機能部として機能させるものである。
【００２５】
また、ＲＡＭ１１２、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００２６】
電流制御部１１１ａ（電流制御手段に相当する）は、非画像部においてレーザダイオード１４１ａに印加する電流値を、レーザダイオード１４１ａのレーザ発光の電流閾値Ｉｓ以上の値Ｉｂに制御するものである（図４参照）。また、電流制御部１１１ａは、非画像部においてレーザダイオード１４１ａに印加する電流値Ｉｂを、画像部においてレーザダイオード１４１ａに印加する電流値Ｉａ未満の値Ｉｂに制御するものである（図３参照）。
【００２７】
更に、電流制御部１１１ａは、感度記憶素子１４３ａに格納された感度情報を所定のタイミング（例えば、感光ユニット１４３の交換の時点）で読み出し、感度記憶部１１２ａに格納するものである。また、電流制御部１１１ａは、非画像部においてレーザダイオード１４１ａに印加する電流値Ｉｂを、感度情報に基づき、レーザダイオード１４１ａからのレーザビームが照射される感光ドラム１４３ｂ上の位置に応じて制御するものである。すなわち、電流制御部１１１ａは、レーザダイオード１４１ａからのレーザビームが照射される感光ドラム１４３ｂ上の位置に対応する感度情報に基づき、非画像部においてレーザダイオード１４１ａに印加する電流値Ｉｂを決定して制御するものである（図７を用いて後述する）。
【００２８】
図３は、レーザダイオード１４１ａに印加される電流と光量との関係の一例を示すグラフである。図の横軸は、レーザダイオード１４１ａに印加される電流（ｍＡ）であり、縦軸は、レーザダイオード１４１ａの光量（Ｊ）である。図に示すように、レーザダイオード１４１ａに流れる電流が大きくなるほど、レーザダイオード１４１ａの光量は増加する。また、所定の電流値（電流閾値Ｉｓ）以上では、レーザ発光領域となり、電流値に略比例した光量が得られる。そして、電流制御部１１１ａによって、非画像部において、レーザダイオード１４１ａに印加される電流値が電流閾値Ｉｓ以上の所定の電流値Ｉｂ（以下、バイアス電流値Ｉｂという）と一致するべく制御され、画像部において、レーザダイオード１４１ａに印加される電流値が電流閾値Ｉｓ以上の所定の電流値Ｉａ（Ｉａ＞Ｉｂ）と一致するべく制御される。
【００２９】
図４は、レーザダイオード１４１ａの光量の一例を示すグラフである。図の横軸は、走査時間（μｓｅｃ）であり、縦軸は、レーザダイオード１４１ａの光量Ｐ（Ｊ）である。図に示すように、電流制御部１１１ａによって、画像部においては、レーザダイオード１４１ａの光量Ｐが光量Ｐａと一致するべく（＝電流が電流値Ｉａと一致するべく）制御され、非画像部においては、レーザダイオード１４１ａの光量Ｐが光量Ｐｂと一致するべく（＝電流が電流値Ｉｂと一致するべく）制御されている。
【００３０】
再び、図２に戻って、主要部の機能構成を説明する。電圧制御部１１１ｂ（電圧制御手段の一部に相当する）は、バイアス電流値Ｉｂに対応して、感光ドラム１４３ｂに印加する電圧を制御するものである。電圧制御部１１１ｂは、感度記憶部１１２ａに格納された感度情報（ここでは、感光ドラム１４３ｂの幅方向中央部に対応する感度情報）に基づき、帯電制御ユニット１４４を介して感光ドラム１４３ｂに印加する（＝帯電ローラ１４３ｃに印加する）電位を制御するものである。
【００３１】
図５は、電圧制御部１１１ｂによって感光ドラム１４３ｂに印加される電圧の一例を示すグラフである。この図では、バイアス電流値が、レーザダイオード１４１ａのレーザ発光の電流閾値Ｉｓ以下の値に設定されている場合（＝従来の設定）と比較して、電圧制御部１１１ｂによって感光ドラム１４３ｂに印加する電圧について説明する。図の横軸は時間であり、縦軸は、感光ドラム１４３ｂの表面電位（Ｖ）である。
【００３２】
従来の印加電圧Ｖｆ０は、２７０Ｖであり、レーザダイオード１４１ａにレーザ発光の電流閾値Ｉｓ以下の値に設定されたバイアス電流が印加されて、バイアス発光が開始すると、感光ドラム１４３ｂの表面電位は、電圧降下量Ｖｂ０１（＝５Ｖ）〜電圧降下量Ｖｂ０２（＝１５Ｖ）程度、電圧が降下する。このように、従来は、バイアス電流がレーザ発光の電流閾値Ｉｓ以下の値に設定されていたため、バイアス発光が開始された状態での感光ドラム１４３ｂの表面電位のバラツキが大きく、これに起因して「かぶり」が発生していたのである。
【００３３】
これに対して、電圧制御部１１１ｂによって感光ドラム１４３ｂに印加する電圧Ｖｆは、２９０Ｖであり、従来の印加電圧Ｖｆ０より２０Ｖ高めに設定される。これは、バイアス電流値Ｉｂが、レーザダイオード１４１ａのレーザ発光の電流閾値Ｉｓ以上の値に設定されているため、従来の電圧降下量Ｖｂ０１（＝５Ｖ）〜電圧降下量Ｖｂ０２（＝１５Ｖ）より大きな電圧降下量Ｖｂ（＝２０Ｖ）の電圧降下が発生するため、これを補完する目的で、従来の印加電圧Ｖｆ０より２０Ｖ高めに設定しているのである。また、この場合、バイアス電流値Ｉｂが、レーザダイオード１４１ａのレーザ発光の電流閾値Ｉｓ以上の値に設定されているため、電圧降下量Ｖｂの変動は小さく、バイアス発光が開始された状態での感光ドラム１４３ｂの表面電位のバラツキが小さく、「かぶり」の発生が抑制されるのである。
【００３４】
再び、図２に戻って、主要部の機能構成を説明する。感度記憶部１１２ａは、電圧制御部１１１ｂによって感度記憶素子１４３ａから読み出された感光ドラム１４３ｂの感度情報を感光ドラム１４３ｂの幅方向位置に対応付けて格納するものである。
【００３５】
図６は、感度記憶素子１４３ａに格納される感度情報の一例の説明図である。図の横軸は、感光ドラム１４３ｂに照射されるレーザビームの光量（Ｊ）であり、縦軸は、感光ドラム１４３ｂの電位（Ｖ）である。感光ドラム１４３ｂは、その表面が、電圧制御部１１１ｂによって（帯電制御ユニット１４４を介して）初期電位Ｖ０に印加され、レーザダイオード１４１ａからの照射されるレーザビームの光量が大きくなる程、その電位が低下するものである。この特性を示すものが感度情報であって、ここでは、予め設定された所定光量ＰＬを感光ドラム１４３ｂに照射した場合に降下する電圧値（＝Ｖ０−ＶＬ）に対応する傾きα（＝（Ｖ０−ＶＬ）／ＰＬ）である。なお、感度情報は、傾きαに換えて電圧値（＝Ｖ０−ＶＬ）である形態でもよい。
【００３６】
図７は、電圧制御部１１１ｂによって感光ドラム１４３ｂに印加される電位の分布の一例を示すグラフである。図の横軸は、感光ドラム１４３ｂの幅方向位置であり、縦軸は、感光ドラム１４３ｂに印加される電位である。図に示すように、感光ドラム１４３ｂの幅方向位置中央位置に電圧Ｖｆを付与した場合には、感光ドラム１４３ｂの幅方向の感度の差違に起因して、両端部程電位が高くなってしまう。これを、補正するために、電流制御部１１１ａは、感度記憶部１１２ａに格納された感光ドラム１４３ｂの感度情報の内、レーザダイオード１４１ａからのレーザビームが照射される感光ドラム１４３ｂ上の幅方向位置に対応する感度情報を選定し、選定された感度情報に基づいて、非画像部におけるレーザダイオード１４１ａの電流値Ｉｂを制御するものである（図３参照）。
【００３７】
図８は、制御部１１（ＣＰＵ１１１）の動作の一例を示すフローチャートである。なお、ここでは、予め、電流制御部１１１ａによって、感度記憶素子１４３ａに格納された感光ドラム１４３ｂの感度情報が読み出されて、感度記憶部１１２ａに格納されているものとする。まず、電圧制御部１１１ｂによって、感度記憶部１１２ａに格納された感度情報の内、感光ドラム１４３ｂの幅方向中央部に対応する感度情報αＭ（Ｍ＝１６）が読み出される（Ｓ１０１）。そして、電圧制御部１１１ｂによって、帯電制御ユニット１４４を介して感光ドラム１４３ｂに印加する（＝帯電ローラ１４３ｃに印加する）電圧Ｖｆが感度情報αＭを用いて求められ、求められた電圧Ｖｆが感光ドラム１４３ｂに印加される（Ｓ１０３）。
【００３８】
次に、電流制御部１１１ａによって、感度記憶部１１２ａに格納された感光ドラム１４３ｂの感度情報αＮ（Ｎ＝１〜３２）が読み出される（Ｓ１０５）。そして、電流制御部１１１ａによって、感度情報αＮ（Ｎ＝１〜３２）毎に非画像部の光量Ｐ１Ｎ（以下、「バイアス発光光量」という：Ｎ＝１〜３２）が次の（１）式を用いて求められる（Ｓ１０７）。
Ｐ１Ｎ＝（Ｖ０−Ｖｆ）÷αＮ      （１）
【００３９】
そして、電流制御部１１１ａによって、画像部か否かの判定が行われる（Ｓ１０９）。画像部であると判定された場合（Ｓ１０９でＹＥＳ）には、予め設定された通常発光光量Ｐ２に対応する電流値Ｉａ（図３参照）が求められ（Ｓ１１１）、レーザダイオード１４１ａに印加する電流が電流値Ｉａに制御され（Ｓ１１３）、処理が終了される。
【００４０】
非画像部であると判定された場合（Ｓ１０９でＮＯ）には、電流制御部１１１ａによって、レーザダイオード１４１ａからのレーザビームが照射される感光ドラム１４３ｂ上の幅方向位置に対応するバイアス発光光量Ｐ１Ｎが抽出される（Ｓ１１５）。そして、電流制御部１１１ａによって、バイアス発光光量Ｐ１Ｎに対応する電流値ＩｂＮ（図３参照）が算出される（Ｓ１１７）。電流制御部１１１ａによって、レーザダイオード１４１ａに印加する電流が電流値ＩａＮに制御され（Ｓ１１９）、処理が終了される。
【００４１】
このようにして、トナー画像を形成しない領域である非画像部において、レーザダイオード１４１ａに印加する電流値であるバイアス電流値Ｉｂが、レーザダイオード１４１ａのレーザ発光の電流閾値Ｉｓ以上の値に制御されるため、安定した制御が実現できる。そして、バイアス電流値Ｉｂに対応して、感光ドラム１４３ｂに印加する電圧Ｖｆが制御されるため、非画像部において、感光ドラム１４３ｂが適正な大きさの電圧Ｖｆに制御されるので、「かぶり」の発生を確実に防止することができる。
【００４２】
また、感光ドラム１４３ｂの感度情報αＭ（Ｍ＝１６）が格納されており、その感度情報αＭに基づき、感光ドラム１４３ｂに印加する電圧Ｖｆが制御されるため、非画像部における感光ドラム１４３ｂの電位のバラツキを抑制することができるので、「かぶり」の発生を更に確実に防止することができる。
【００４３】
更に、感光ドラム１４３ｂの幅方向の複数箇所（ここでは３２箇所）に対応する感度情報αＮ（Ｎ＝１〜３２）に基づき、非画像部におけるレーザダイオード１４１ａのバイアス電流値ＩｂＮが、レーザダイオード１４１ａからのレーザビームが照射される感光ドラム１４３ｂ上の位置に応じて制御されるため、非画像部における感光ドラム１４３ｂの電位のバラツキを更に効果的に抑制することができるので、「かぶり」の発生を更に確実に防止することができる。
【００４４】
加えて、感度情報αＮ（Ｎ＝１〜３２）が、予め設定された所定光量（ここでは、単位光量）を感光ドラム１４３ｂに照射した場合に降下する電圧値（＝傾き）であるため、感度情報を正確に表現することができる。
【００４５】
なお、本発明は、以下の形態にも適用可能である。
（Ａ）本実施形態では、電圧制御部１１１ｂが、感度記憶部１１２ａに格納された感光ドラム１４３ｂの幅方向中央部に対応する感度情報に基づき、感光ドラム１４３ｂに印加する電位を制御する場合について説明したが、電圧制御部１１１ｂが、感度記憶部１１２ａに格納された感光ドラム１４３ｂの複数箇所の感度情報に基づき、感光ドラム１４３ｂに印加する電位を制御する形態でもよい。例えば、感光ドラム１４３ｂの全ての箇所（ここでは、３２箇所）の感度情報αＮの平均値に基づき、感光ドラム１４３ｂに印加する電位を制御する形態でもよい。
【００４６】
（Ｂ）本実施形態では、感度記憶素子１４３ａが、感光ドラム１４３ｂの幅方向位置と対応付けて感度情報を格納する場合について説明したが、感光ドラム１４３ｂの周方向位置及び幅方向位置の少なくとも一方と対応付けて感度情報を格納する形態でもよい。すなわち、感度記憶素子１４３ａが、感光ドラム１４３ｂの周方向位置及び幅方向位置に対応付けて感度情報を格納する場合には、非画像部における感光ドラム１４３ｂの電位のバラツキを更に効果的に抑制することができるので、「かぶり」の発生を更に確実に防止することができる。
【図面の簡単な説明】
【００４７】
【図１】は、本発明に係る画像形成装置の概略構成の一例を示すブロック図である。
【図２】は、本発明の主要部の機能構成の一例を示す機能構成図である。
【図３】は、レーザダイオードに印加される電流と光量との関係の一例を示すグラフである。
【図４】は、レーザダイオードの光量の一例を示すグラフである。
【図５】は、電圧制御部によって感光ドラムに印加される電圧の一例を示すグラフである。
【図６】は、感度記憶素子に格納される感度情報の一例の説明図である。
【図７】は、電圧制御部によって感光ドラムに印加される電位の分布の一例を示すグラフである。
【図８】は、制御部（ＣＰＵ）の動作の一例を示すフローチャートである。
【符号の説明】
【００４８】
１    プリンタ
１１    制御部
１１１    ＣＰＵ
１１１ａ    電流制御部（電流制御手段）
１１１ｂ    電圧制御部（電圧制御手段の一部）
１１２    ＲＡＭ
１１２ａ    感度記憶部
１４    印刷処理部
１４１    レーザビーム走査ユニット
１４１ａ    レーザダイオード
１４２    現像ユニット
１４２ａ    感光ドラム
１４３    感光ユニット
１４３ａ    感度記憶素子（感度記憶手段）
１４３ｂ    感光ドラム
１４３ｃ    帯電ローラ
１４４    帯電制御ユニット（電圧制御手段の一部）
【図１】
2007286298.tif 000003
【図２】
2007286298.tif 000004
【図３】
2007286298.tif 000005
【図４】
2007286298.tif 000006
【図５】
2007286298.tif 000007
【図６】
2007286298.tif 000008
【図７】
2007286298.tif 000009
【図８】
2007286298.tif 000010